(57)【要約】【課題】操作方向によりノブの操作量が異ならないようにする。【解決手段】ノブ５から延びる操作部７３Ａ、７３Ｂにより、ノブ５の回動方向に応じて決まる所定方向に回動させられるカム９Ａ、９Ｂと、カム９Ａ、９Ｂが回動軸Ｘ２周りの一方向に回動させられると、カム９Ａの一方側の押圧部９２ｂによりオンされるスイッチ素子２４と、カム９Ａ、９Ｂが回動軸Ｘ２周りの他方向に回動させられると、カム９Ｂの他方側の押圧部９２ａによりオンされるスイッチ素子２３と、を備え、カム９Ａ、９Ｂの回動軸Ｘ２の軸方向から見て、スイッチ素子２３とスイッチ素子２４、およびカム９Ａ、９Ｂの一方側の押圧部９２ｂと他方側の押圧部９２ａを、それぞれ回動軸Ｘ２を挟んで対称に配置した構成のスイッチ１とした。【選択図】図７
2014120322.tif 000002
【特許請求の範囲】
【請求項１】
第１軸周りに回動可能に設けられたノブと、
第２軸周りに回動可能に設けられると共に、前記ノブから延びる操作子により、前記ノブの回動方向に応じて決まる所定方向に、基準位置から回動させられるカムと、
前記カムが前記第２軸周りの一方向に回動させられると、前記カムの一方側の押圧部によりオンされる第１のスイッチ素子と、
前記カムが前記第２軸周りの他方向に回動させられると、前記カムの他方側の押圧部によりオンされる第２のスイッチ素子と、を備え、
前記カムの回動軸の軸方向から見て、第１のスイッチ素子と第２のスイッチ素子、および前記一方側の押圧部と前記他方側の押圧部を、それぞれ前記第２軸を挟んで対称に配置したことを特徴とするスイッチ。
【請求項２】
前記ノブの長手方向における一側には、前記ノブを回動させるときに操作される操作部が設けられており、
前記ノブの第１軸は、前記長手方向における他側寄りに設定されていることを特徴とする請求項１に記載のスイッチ。
【請求項３】
前記第２軸は、前記第１軸に対して平行に設定されていると共に、前記ノブの長手方向で前記第１軸から前記操作部側にオフセットした位置に設定されていることを特徴とする請求項１または請求項２に記載のスイッチ。
【請求項４】
前記カムは、前記第１のスイッチ素子をオンさせる第１のカムと、前記第２のスイッチ素子をオンさせる第２のカムとから構成されると共に、前記第１のカムと前記第２のカムは、前記第２軸の軸方向に間隔を空けて設けられており、
前記操作子は、前記第１のカムを回動させる第１の操作子と、前記第２のカムを回動させる第２の操作子とから構成されると共に、前記第１軸の軸方向に間隔を空けて設けられており、
前記第１のカムと前記第２のカム、および前記第１の操作子と前記第２の操作子は、前記ノブの幅方向における中心線を挟んで対称に設けられていることを特徴とする請求項１から請求項３の何れか一項に記載のスイッチ。
【発明の詳細な説明】
【技術分野】
【０００１】
本発明は、ノブを回動軸回りに回動させてスイッチ素子をオンさせる構成のスイッチに関する。
【背景技術】
【０００２】
特許文献１には、プッシュ式のボタンが操作されると、アクチュエータを駆動して駐車ブレーキをオンさせる構成の駐車ブレーキ装置が開示されている。
【先行技術文献】
【特許文献】
【０００３】
【特許文献１】特開２００６−３１５４６８号公報
【０００４】
特許文献１に開示された駐車ブレーキ装置では、従来のブレーキ装置のようにレバーを引くことで駐車ブレーキをオンさせる構成となっていないため、従来の駐車ブレーキ装置での操作に慣れている人にとっては、駐車ブレーキをオンさせるときの操作に違和感を覚えることがあった。
【０００５】
そのため、駐車ブレーキをオンさせるときの操作感を、従来の駐車ブレーキ装置での操作感に近づけるために、ブッシュ式のボタンの代わりに、一軸回りに回動可能なノブを操作して駐車ブレーキをオンさせるようにした駐車ブレーキ装置が提案されている。
【０００６】
図８は、一軸回りに回動可能なノブ１０１を操作して駐車ブレーキをオンさせるようにした駐車ブレーキ装置のスイッチ１００の構成を説明する図である。（Ａ）は、ノブ１０１の回動軸Ｘに直交する方向でスイッチ１００を切断した断面を模式的に示す図であり、（Ｂ）は、ノブ１０１の回動操作により、一方のスイッチ素子１０５がオンされた状態を模式的に示す図であり、（Ｃ）は、ノブ１０１の回動軸Ｘを、操作部１０１ａとは反対側の基部１０１ｂ寄りに設けたスイッチ１００’の場合のノブ１０１の操作量を説明する図である。
【０００７】
図８の（Ａ）に示すように、スイッチ１００は、カバー１０２で回動軸Ｘ回りに回動可能に支持されたノブ１０１を備えており、ノブ１０１の操作部１０１ａ側を、図８の（Ａ）に示す基準位置から、引き起こす方向（図中、矢印Ａ方向）に操作すると、ノブ１０１の基部１０１ｂ側に設けられたムービングブロック１０３が基板１０７側の下方にストロークして、スイッチ素子１０５をオンさせるようになっている（図８の（Ｂ）参照）。
また、ノブ１０１の操作部１０１ａ側を、基準位置から押し込む方向（図８の（Ａ）、矢印Ｂ方向）に操作すると、ノブ１０１の操作部１０１ａ側に設けられたムービングブロック１０４が基板１０７側の下方にストロークして、スイッチ素子１０６をオンさせるようになっている。
【０００８】
このスイッチ１００を備える駐車ブレーキ装置では、スイッチ素子１０５がオンされた場合には、図示しない制御装置が、アクチュエータ（図示せず）を駆動させて駐車ブレーキをオンさせ、スイッチ素子１０６がオンされた場合には、駐車ブレーキがオフされるようになっている。
【発明の概要】
【発明が解決しようとする課題】
【０００９】
このスイッチ１００では、ノブ１０１の長手方向（図８の（Ａ）における左右方向）における略中央部に、当該ノブ１０１の回動軸Ｘが位置しており、回動軸Ｘを挟んで一方側の操作部１０１ａと、他方側の基部１０１ｂとが、回動軸Ｘを挟んで対称となる位置関係で設けられている。
そのため、ノブ１０１における基部１０１ｂ側を押し下げる方向（図８の（Ｂ）の矢印Ｃ参照）に操作しても、ノブ１０１の操作部１０１ａ側が引き起こされる方向（図中、矢印Ａ参照）に回動してスイッチ素子１０５がオンされるため、駐車ブレーキがオンされてしまう。
【００１０】
ここで、ノブ１０１の基部１０１ｂ側を駐車ブレーキのオン／オフに関与させないようにするためには、ノブ１０１の回動軸Ｘを基部１０１ｂ寄りの位置に設けて、ノブ１０１の操作部１０１ａ側のみを、駐車ブレーキのオン／オフに関与できるようにすることが考えられる（図８の（Ｃ）参照）。
しかし、かかる場合には、ノブ１０１の操作部１０１ａ側を引き起こす方向に操作してスイッチ素子１０５をオンさせる場合の操作量（図中、符号α参照）の方が、ノブ１０１の操作部１０１ａ側を押し込む方向に操作してスイッチ素子１０６をオンさせる場合の操作量（図中、符号β参照）よりも多くなってしまう。
【００１１】
そうすると、スイッチ素子をオンさせるのに必要なノブ１０１の操作量が、ノブ１０１の操作方向によって異なるので、操作者がノブ１０１の操作感に違和感を持つ虞があった。
【００１２】
そこで、ノブの回動軸をノブの長手方向における一方側に設定しても、スイッチ素子をオンさせるのに必要なノブの操作量が、ノブの操作方向により異ならないようにすることが求められている。
【課題を解決するための手段】
【００１３】
本発明は、
第１軸周りに回動可能に設けられたノブと、
第２軸周りに回動可能に設けられると共に、前記ノブから延びる操作子により、前記ノブの回動方向に応じて決まる所定方向に、基準位置から回動させられるカムと、
前記カムが前記第２軸周りの一方向に回動させられると、前記カムの一方側の押圧部によりオンされる第１のスイッチ素子と、
前記カムが前記第２軸周りの他方向に回動させられると、前記カムの他方側の押圧部によりオンされる第２のスイッチ素子と、を備え、
前記カムの回動軸の軸方向から見て、第１のスイッチ素子と第２のスイッチ素子、および前記一方側の押圧部と前記他方側の押圧部を、それぞれ前記第２軸を挟んで対称に配置した構成のスイッチとした。
【発明の効果】
【００１４】
本発明によれば、第１のスイッチ素子をオンさせるときのカムの基準位置からの回動角度と、第２のスイッチ素子をオンさせるときのカムの基準位置からの回動角度とが同じになるので、操作子でカムを回動させるときのノブの回動角度もまた、第１のスイッチ素子をオンさせる場合と第２のスイッチ素子をオンさせる場合とで同じになる。
そのため、ノブの長手方向における一方側にノブの回動軸を設定しても、第１のスイッチ素子をオンさせる場合と第２のスイッチ素子をオンさせる場合の何れにおいても、ノブの回動角度が同じになるので、ノブの操作方向によりノブの操作量が異ならないようにすることができる。
【図面の簡単な説明】
【００１５】
【図１】実施の形態にかかるスイッチの分解斜視図である。
【図２】カバーを説明する図である。
【図３】スイッチの断面図である。
【図４】連結部を説明する図である。
【図５】スイッチの断面図である。
【図６】スイッチの断面図である。
【図７】スイッチの動作説明図である。
【図８】従来のスイッチの断面図である。
【発明を実施するための最良の形態】
【００１６】
図１は、実施の形態にかかるスイッチ１の分解斜視図である。
実施の形態にかかるスイッチ１は、極盤２と、カバー３と、ノブ５と、を備えており、ノブ５が操作されると、カバー３で支持されたカム９（９Ａ、９Ｂ）が回動させられて、極盤２側に設けられたスイッチ素子２３、２４のうちの一方が、カム９Ｂ、９Ａのうちの一方によりオンされるようになっている。
ここで、以下の説明では、説明の便宜上、図１におけるノブ５側を上方、極盤２側を下方と標記する。
【００１７】
極盤２は、平面視において矩形形状の基部２１を有しており、この基部２１のカバー３側の上面には、平面視において矩形形状のプリント基板２２が設けられている。
プリント基板２２のカバー３側の上面では、プリント基板２２の長手方向における一方寄りの位置に、プッシュ型のスイッチ素子２３、２４が設けられており、これらスイッチ素子２３、２４は、プリント基板２２の幅方向に間隔を空けて設けられている。
平面視においてスイッチ素子２３、２４は、矩形形状を有しており、カバー３側の上方に突出する被操作部２３ａ、２４ａを、長手方向における一方側に有している。
スイッチ素子２３、２４は、これら被操作部２３ａ、２４ａを、プリント基板２２の長手方向で最も離間させる向きで設けられており、被操作部２３ａ、２４ａがプリント基板２２側の下方に押し込まれると、押し込まれた被操作部２３ａ、２４ａに対応するスイッチ素子２３、２４がオンされるようになっている
【００１８】
プリント基板２２の長手方向における他方寄りの位置には、極盤２から上方に突出した複数の端子２６の一端側が接続されており、これら端子２６は、プリント基板２２に設けた図示しない配線を介して、スイッチ素子２３、２４などに接続されている。
これら複数の端子２６は、インサート成形により極盤２内に埋め込まれており、複数の端子２６の他端側は、基部２１から下方に突出するコネクタ部２５内に位置している。
【００１９】
基部２１の外周には、複数の係止爪２７や係合部２８が設けられており、これら係止爪２７や係合部２８は、極盤２にカバー３を組み付けた際に、カバー３側に設けた係合孔３２や係合凹部３３に係合して、極盤２からのカバー３の脱落の防止や、極盤２に対するカバー３の位置決めが行われるようになっている。
【００２０】
図２は、カバー３を説明する図であり、（Ａ）は、カバー３をノブ５側の上方から見た平面図であり、（Ｂ）は、カバー３における支持部４周りを拡大して示す斜視図であり、（Ｃ）は、カバー３における支持部４周りを拡大して示す平面図である。
なお、図２の（Ｃ）では、支持部４の形状を判りやすくするために、支持部４を構成する壁部４１、４２、４３、４４、４５、４６と仕切壁４７、４８にハッチングを付して表している
図３は、カバー３を図２の（Ａ）におけるＡ−Ａ線に沿って切断した断面を、スイッチ１の他の構成要素の断面と共に示した断面図である。
図４は、連結部７を説明する図であり、（Ａ）は、連結部７をカバー３側の下方から見た斜視図であり、（Ｂ）は、連結部７をカバー３側の下方から見た平面図である。
図５は、図３におけるＡ−Ａ断面図であり、図６は、図３におけるＢ−Ｂ断面図である。
【００２１】
図１に示すように、カバー３は、極盤２の基部２１の外周に外嵌する周壁部３１を有しており、カバー３の長手方向における一方側と他方側には、スイッチ１を相手側部材に取り付けるための取付部３４、３５が、周壁部３１から突出して設けられている。
これら取付部３４、３５には、図２の（Ａ）に示すように、固定用のボルトや相手側部材の位置決め用の突起などを挿入させる取付孔３４ａ、３４ｂ、３５ａが、厚み方向に貫通して設けられている。
【００２２】
周壁部３１の内側には、ノブ５を回動可能に支持する支持部４が、周壁部３１よりもノブ５側の上方に突出して形成されており、この支持部４は、カバー３において取付部３４寄りの位置に設けられている。
図２の（Ａ）および（Ｃ）に示すように、支持部４は、カバー３の幅方向に延びる壁部４１、４２と、これら壁部４１、４２を互いに接続する壁部４３、４４、４５、４６と、を備えており、壁部４３、４４、４５、４６は、カバー３の幅方向で等間隔で、互いに平行となるように設けられている。
【００２３】
カバー３の幅方向における両側に位置する壁部４３、４４は、壁部４１、４２の両端を互いに接続しており、平面視において矩形形状を成す支持部４の外周壁が、壁部４１、４２と、壁部４３、４４とで構成されている。
【００２４】
図２の（Ｂ）に示すように、壁部４３、４４、４５、４６の長手方向における中央部には、両側にスリット４３３、４４３、４５３、４６３を有する軸受部４３１、４４１、４５１、４６１が設けられている。
軸受部４３１、４４１、４５１、４６１は、壁部４３、４４、４５、４６よりもノブ５側の上方に突出して設けられており、軸受部４３１、４４１、４５１、４６１の各々には、後記する連結部７側の軸部７２ｃ、７２ｃ、７４ｃ、７４ｃを挿通させる貫通孔４３２、４４２、４５２、４６２が設けられている。
貫通孔４３２、４４２、４５２、４６２は、軸受部４３１、４４１、４５１、４６１を厚み方向に貫通して設けられており、これら貫通孔４３２、４４２、４５２、４６２は、ノブ５の回動軸Ｘ１上に位置している（図３参照）。
【００２５】
図２の（Ｃ）に示すように、カバー３の幅方向における壁部４３と壁部４５との間、そして壁部４４と壁部４６との間には、壁部４３、４４、４５、４６よりも高さの低い仕切壁４７、４８が設けられている。
仕切壁４７、４８は、壁部４３、４４、４５、４６に対して平行に延びており、長手方向における両側が、それぞれ壁部４１、４２に接続されている。
【００２６】
平面視において、仕切壁４７と壁部４５との間、仕切壁４８と壁部４６との間は、それぞれ後記する節度機構を収容するための空間Ｓ１、Ｓ１となっており、仕切壁４７と壁部４３との間、仕切壁４８と壁部４４との間は、それぞれ後記するカム９（９Ａ、９Ｂ）を収容するための空間Ｓ２、Ｓ２となっている。
【００２７】
平面視において空間Ｓ１、Ｓ１の各々では、カバー３の長手方向における中央部に、スプリング収容部４０１が開口している。
図６に示すように、スプリング収容部４０１は有底円筒形状を有しており、空間Ｓ１、Ｓ１の底壁部４０２から極盤２側の下方に突出して形成されている。
【００２８】
スプリング収容部４０１は、スプリングＳｐの軸方向長さよりも短い長さＬを有しており、スプリング収容部４０１に収容されたスプリングＳｐの上端側が、断面視において円弧状の底壁部４０２よりもノブ５側の上方に突出している。
【００２９】
図２の（Ｃ）に示すように、空間Ｓ１、Ｓ１を画成する壁部４５、４６と仕切壁４７、４８の互いの対向面には、スプリング収容部４０１の開口を囲むようにガイド片４５４、４６４、４７４、４８４が設けられている。これらガイド片４５４、４６４、４７４、４８４は、ノブ５の回動軸Ｘ１を通りプリント基板２２に直交する方向に延びる直線Ｌｎ（図６参照）に対して平行に、直線状に設けられており、空間Ｓ１、Ｓ１内に突出したスプリングＳｐの上端側が、これらガイド片４５４、４６４、４７４、４８４により、直線Ｌｎ上から外れないようにされている。
【００３０】
スプリング収容部４０１に収容されたスプリングＳｐは、先端に保持したボールＢを、直線Ｌｎ上で節度溝７４２ａに押圧させており、実施の形態では、スプリングＳｐで付勢されたボールＢと節度溝７４２ａで、節度機構を構成している。
【００３１】
スイッチ１では、この節度機構により、ノブ５を回動軸Ｘ１周りに回動させるときに節度感が与えられるようになっている。さらに、ノブ５（操作部６１ａ）に作用する操作力がなくなると、スプリングＳｐの付勢力で、ボールＢが節度溝７４２ａの奥側（図６における上側）に押し込まれて、ノブ５が、図６に示す基準位置に復帰するようになっている。
【００３２】
図２の（Ｃ）および図５に示すように、空間Ｓ２、Ｓ２の各々では、カバー３の長手方向における壁部４１寄りの位置に、平面視において矩形形状の開口４０３ａ、４０３ａが、底壁部４０３を厚み方向に貫通して形成されている。
開口４０３ａ、４０３ａの各々では、長手方向における略中央に、円柱形状の軸部４０４、４０４が位置しており、平面視において軸部４０４、４０４は、開口４０３ａ、４０３ａ内で隙間を空けて対向配置されている。
これら軸部４０４、４０４は、壁部４３、４４、仕切壁４７、４８の極盤２側の下部から、ノブ５の回動軸Ｘ１に対して平行な軸線（カム９の回動軸Ｘ２）に沿って延びており、後記するカム９（９Ａ、９Ｂ）が、これら軸部４０４、４０４で回動可能に支持されるようになっている。
【００３３】
以下、カム９（９Ａ、９Ｂ）の構成を説明する。
実施の形態では、スイッチ素子２３をオン操作するためのカム９Ｂと、スイッチ素子２４をオン操作するためのカム９Ａとが用意されている。
ここで、カム９Ａとカム９Ｂは、同一の形状を有しているので、以下の説明においては、カム９Ａについて説明をし、他方のカム９Ｂについては必要に応じて説明をする。また、カム９Ａとカム９Ｂを特に区別しない場合には、単純にカム９と標記する。
【００３４】
図５に示すように、カム９Ａは、挿入穴９１ａを有する連結部９１と、側面視において略扇形状の被操作部９２とを有しており、連結部９１は、被操作部９２の幅方向における中央から、極盤２側の下方に突出している。
【００３５】
カム９Ａ、９Ｂは、被操作部９２をノブ５側の上方に位置させた向きで、挿入穴９１ａに挿入したカバー３側の軸部４０４、４０４で回動可能に支持されている（図５、図７参照）。
被操作部９２のプリント基板２２側の下面は、スイッチ素子２３、２４の被操作部２３ａ、２４ａを押圧する押圧部９２ａ、９２ｂとなっている。
これら押圧部９２ａ、９２ｂは、カム９Ａが図５に示す基準位置に配置された状態で、カム９の回動軸Ｘ２を通りプリント基板２２に直交する直線Ｌｏを挟んで対象に位置している。
【００３６】
実施の形態では、カム９Ａは、一方側の押圧部９２ｂをスイッチ素子２４の被操作部２４ａに当接させた状態で設けられ、カム９Ｂは、他方側の押圧部９２ａをスイッチ素子２３の被操作部２３ａに当接させた状態で設けられている（図５、図７参照）。
【００３７】
図５に示すように、被操作部９２には、ノブ５から延びる操作部７３３（係合部７３３ａ）が係合する係合溝９３が設けられており、この係合溝９３は、カム９Ａの回動軸Ｘ２を通る直線Ｌｍに沿って、被操作部９２の弧状の外周から連結部９１の近傍までの範囲に直線状に延びている。
被操作部９２の外周における係合溝９３の両側は、係合部７３３ａの係合溝９３への係合を容易にするために切り欠かれており、係合溝９３の開口幅は、被操作部９２の外周に向かうに連れて広くなっている。
【００３８】
実施の形態では、係合部７３３ａが、ノブ５の操作に連動して回動軸Ｘ１周りに回動するようになっており、この回動軸Ｘ１周りに回動する係合部７３３ａにより、回動軸Ｘ２周りに回動可能とされたカム９（９Ａ、９Ｂ）が、ノブ５の操作方向に応じて決まる一方向に回動させられるようになっている。
【００３９】
図１に示すように、カバー３の支持部４で回動可能に支持されるノブ５は、長手方向における一方側が操作部６１ａとされたヘッド部６と、ヘッド部６のカバー３側の下面に取り付けられて、ノブ５を支持部４で回動可能に支持させる連結部７と、を有している。
【００４０】
ヘッド部６は、上壁部６１の周縁からカバー３側の下方に延びる周壁部６２を有しており、ヘッド部６の幅方向における両側には、連結部７の係合突起７２ａを係合させる係合孔６２ａと、連結部７の両側から延びる軸部７２ｂが挿入される軸受孔６２ｂと、が形成されている。係合孔６２ａは、ヘッド部６の長手方向に間隔を空けて複数設けられており、軸受孔６２ｂは、ノブ５の回動軸Ｘ１が設定される基部６１ｂ側に設けられている。
【００４１】
図４に示すように、連結部７は、平面視において矩形形状の基部７１を有しており、この基部７１の幅方向における両側には、極盤２側の下方に延びる側壁部７２が設けられている。
側壁部７２は、基部７１の長手方向の全長に亘って設けられており、この側壁部７２の外側面には、係合突起７２ａと軸部７２ｂが設けられている。
連結部７は、これら係合突起７２ａと軸部７２ｂを、ヘッド部６側の係合孔６２ａと軸受孔６２ｂとに係合させて、ヘッド部６に組み付けられており、操作部６１ａが操作されると、ヘッド部６と連結部７とが、ノブ５の回動軸Ｘ１周りに一体に回動するようになっている。
【００４２】
側壁部７２の内側面では、軸部７２ｂの反対側の位置に、円柱形状の軸部７２ｃが設けられており、この軸部７２ｃは、ノブ５の回動軸Ｘ１に沿って内側に突出している。
軸部７２ｃは、ノブ５が支持部４に取り付けられた際に、支持部４の軸受部４３１、４４１の貫通孔４３２、４４２に挿入されるようになっている（図３参照）。
【００４３】
図３に示すように、側壁部７２のカバー３側の下面には、当該側壁部７２よりも外側を、プリント基板２２側の下方に延びるレバー部７２１が接続されている。このレバー部７２１は、ノブ５がカバー３に組み付けられた際に、カバー３側の規制壁３６、３７（図１参照）の間に挿入されるようになっている。
実施の形態では、レバー部７２１は、ノブ５の操作に連動して回動軸Ｘ１周りに回動するようになっており、レバー部７２１がノブ５の操作方向に応じて決まる一方の規制壁３６、３７に当接すると、その時点でノブ５の回動が規制されるようになっている。
【００４４】
図３および図４に示すように、側壁部７２の内側には、操作部７３（７３Ａ、７３Ｂ）と支持壁部７４（７４Ａ、７４Ｂ）とが、基部７１の幅方向で間隔を空けて設けられており、これら操作部７３（７３Ａ、７３Ｂ）と支持壁部７４（７４Ａ、７４Ｂ）は、基部７１からカバー３側の下方に延出している。
操作部７３（７３Ａ、７３Ｂ）と支持壁部７４（７４Ａ、７４Ｂ）は、基部７１の幅方向における中心線Ｍを挟んで対称に配置されており、操作部７３Ａと支持部７４Ａは、前記したカム９Ａ側に、操作部７３Ｂと支持部７４Ｂは、前記したカム９Ｂ側に位置している。
なお、操作部７３Ａ、７３Ｂと支持壁部７４Ａ、７４Ｂを特に区別しない場合には、単純に操作部７３、支持壁部７４と標記する。
【００４５】
図４の（Ｂ）に示すように、操作部７３（７３Ａ、７３Ｂ）と支持壁部７４（７４Ａ、７４Ｂ）は、それぞれ側壁部７２に対して平行に設けられており、長手方向における端部同士が補強用のリブ７５、７５で接続されている。
ここで、操作部７３Ａ、７３Ｂと支持壁部７４Ａ、７４Ｂは、それぞれ同一の構成を有しているので、一方の操作部７３Ａ、支持壁部７４Ａの構成を具体的に説明する。
【００４６】
図５に示すように、操作部７３Ａは、基部７１からカバー３側の下方に延びる矩形形状の基端部７３１と、基端部７３１の長手方向における略中央部からカバー３側の下方に突出する半円部７３２と、この半円部７３２からプリント基板２２側の下方に延びる操作部７３３と、を有している。操作部７３３は、ノブ５の回動軸Ｘ１とカム９Ａの回動軸Ｘ２とを結ぶ直線Ｌｍに沿って延びており、先端に設けた略円形の係合部７３３ａを、カム９９Ａの係合溝９３に直線Ｌｍ上で係合させている。
【００４７】
図６に示すように、支持壁部７４Ａは、基部７１からカバー３側の下方に延びる矩形形状の基端部７４１と、基端部７４１の長手方向における略中央部からカバー３側の下方に突出する矩形部７４２とを有しており、矩形部７４２のカバー３側の下端では、長手方向における中央に、ノブ５側の上方に窪んだ節度溝７４２ａが形成されている。
この節度溝７４２ａは、ノブ５が基準位置に配置されている状態で、ノブ５の回動軸Ｘ１を通り極盤２に対して直交する直線Ｌｎ上に位置しており、スプリングＳｐで付勢されたボールＢが、極盤２側の下方から当接している。
【００４８】
図４に示すように、基部７１において支持壁部７４Ａ、７４Ｂは、基部７１の幅方向における中心線Ｍを挟んで対称に設けられており、支持壁部７４Ａと支持壁部７４Ｂの互いの対向面には、円柱形状の軸部７４ｃが設けられている。
この軸部７４ｃは、前記した側壁部７２の軸部７２ｃと同様に、ノブ５の回動軸Ｘ１上を基部７１の中心線Ｍ側に向けて延びている。
【００４９】
実施の形態では、支持壁部７４（７４Ａ、７４Ｂ）の軸部７４ｃと側壁部７２の軸部７２ｃを、それぞれ支持部４の軸受部４５１、４６１の貫通孔４５２、４６２と、軸受部４３１、４４１の貫通孔４３２、４４２に挿入して、ノブ５を支持部４で回動可能に支持させるようになっている（図３参照）。
【００５０】
以下、かかる構成のスイッチ１の動作を説明する。
図７は、スイッチ１の動作を説明する図であり、（Ａ）は、ノブ５の操作部６１ａ側を引き起こす方向（図中矢印Ａ参照）に操作した場合を、（Ｂ）は、ノブ５の操作部６１ａ側を押し込む方向（図中矢印Ｂ参照）に操作した場合を説明する図である。
なお、（Ａ）は、図３におけるＡ−Ａ断面に相当し、（Ｂ）は、図３におけるＣ−Ｃ断面に相当する。
【００５１】
ノブ５に操作力が作用していない状態では、ノブ５は、スプリングＳｐの付勢力でボールＢを節度溝７４２ａに係合させた節度機構により、図６に示す基準位置に配置されている。この状態において、ノブ５側から延びる操作部７３（７３Ａ、７３Ｂ）が係合するカム９（９Ａ、９Ｂ）は、図５に示す基準位置に配置されている。
この基準位置においてカム９（９Ａ、９Ｂ）の押圧部９２ａ、９２ｂは、カム９の回動軸Ｘ２を通りプリント基板２２に直交する方向に延びる直線Ｌｏを挟んで対象に配置されており（図５参照）、カム９Ａは、スイッチ素子２４の被操作部２４ａに押圧部９２ｂを載置させ、カム９Ｂは、スイッチ素子２３の被操作部２３ａに押圧部９２ａを載置させている（図７も参照）。
【００５２】
この状態からノブ５の操作部６１ａ側を引き起こす方向（図５、図７：矢印Ａ方向）に操作すると、ノブ５から延びる操作部７３（７３Ａ、７３Ｂ）の係合部７３３ａが、ノブ５の回動軸Ｘ１周りの周方向で図中時計回り方向に回動して、カム９（９Ａ、９Ｂ）を回動軸Ｘ２周りの周方向で図中反時計回り方向に回動させる。これにより、カム９Ａの押圧部９２ｂが、スイッチ素子２４の被操作部２４ａをプリント基板２２側の下方に押し込んで、スイッチ素子２４がオンされることになる。
【００５３】
また、図５に示す状態から、ノブ５の操作部６１ａ側を押し込む方向（図５、図７：矢印Ｂ方向）に操作すると、ノブ５から延びる操作部７３（７３Ａ、７３Ｂ）の係合部７３３ａが、ノブ５の回動軸Ｘ１周りの周方向で図中反時計回り方向に回動して、カム９（９Ａ、９Ｂ）を回動軸Ｘ２周りの周方向で図中時計回り方向に回動させる。これにより、カム９Ｂの押圧部９２ａが、スイッチ素子２３の被操作部２３ａをプリント基板２２側の下方に押し込んで、スイッチ素子２３がオンされることになる。
【００５４】
ここで、図５に示すように、カム９（９Ａ、９Ｂ）の幅方向における中央に回動軸Ｘ２を設定して、カム９（９Ａ、９Ｂ）の押圧部９２ａ、９２ｂが、回動軸Ｘ２を通りプリント基板２２に直交する直線Ｌｏを挟んで対称となる形状となっているので、スイッチ素子２３、２４を直線Ｌｏを挟んで対称に配置することで、スイッチ素子２４をオンさせるときのカム９（９Ａ、９Ｂ）の回動角度θと、スイッチ素子２３をオンさせるときのカム９（９Ａ、９Ｂ）の回動角度θが同じになるようになっている。
【００５５】
そうすると、操作部７３（７３Ａ、７３Ｂ）の係合部７３３ａでカム９（９Ａ、９Ｂ）を回転させるときのノブ５の回動角度θ１もまた、スイッチ素子２４をオンさせるときとスイッチ素子２３をオンさせるときで同じになる。
そのため、ノブ５の回動軸を、ノブ５の長手方向で操作部６１ａとは反対側に寄せた位置に設定しても、ノブ５と一体に回動する部材によりスイッチ素子２３、２４を直接オンさせる構成となっておらず、ノブ５と一体に回動する操作部７３（７３Ａ、７３Ｂ）の係合部７３３ａによりカム９（９Ａ、９Ｂ）を回動させ、回動させたカム９（９Ａ、９Ｂ）により、スイッチ素子２４、２３をオンさせる構成となっているので、スイッチ素子２４をオンさせる場合と、スイッチ素子２３をオンさせる場合とで、ノブ５の操作量を同じにできる。
【００５６】
以上の通り、実施の形態では、カバー３の支持部４において回動軸Ｘ１周りに回動可能に支持されたノブ５と、
カバー３において回動軸Ｘ２周りに回動可能に支持されると共に、ノブ５から延びる操作部７３（７３Ａ、７３Ｂ）により、ノブ５の回動方向に応じて決まる所定方向に、基準位置（図５参照）から回動させられるカム９（９Ａ、９Ｂ）と、
カム９（９Ａ、９Ｂ）が回動軸Ｘ２周りの一方向に回動させられると、カム９Ａの一方側の押圧部９２ｂによりオンされるスイッチ素子２４と、
カム９（９Ａ、９Ｂ）が回動軸Ｘ２周りの他方向に回動させられると、カム９Ｂの他方側の押圧部９２ａによりオンされるスイッチ素子２３と、を備え、
カム９（９Ａ、９Ｂ）の回動軸Ｘ２の軸方向から見て、スイッチ素子２３とスイッチ素子２４、およびカム９（９Ａ、９Ｂ）の一方側の押圧部９２ｂと他方側の押圧部９２ａを、それぞれ回動軸Ｘ２を挟んで対称に配置した構成のスイッチ１とした。
【００５７】
このように構成すると、スイッチ素子２４をオンさせるときのカム９（９Ａ、９Ａ）の基準位置からの回動角度θ（図７の（Ａ）参照）と、スイッチ素子２３をオンさせるときのカム９（９Ａ、９Ａ）の基準位置からの回動角度θ（図７の（Ｂ）参照）とが同じになるので、操作部７３（７３Ａ、７３Ｂ）でカム９（９Ａ、９Ｂ）を回動させるときのノブ５の回動角度θ１（図７の（Ａ）、（Ｂ）参照）もまた、スイッチ素子２４をオンさせる場合とスイッチ素子２３をオンさせる場合とで同じになる。
そのため、ノブ５の長手方向における一方側（操作部６１ａとは反対側に位置する基部６１ｂ側）にノブ５の回動軸Ｘ１を設定しても、スイッチ素子２４をオンさせる場合とスイッチ素子２３をオンさせる場合の何れにおいても、ノブ５の回動軸Ｘ１周りの回動角度θ１が同じになるので、ノブ５の操作方向によりノブ５の操作量が異ならないようにすることができる。
【００５８】
特に、ノブ５と一体に回動軸Ｘ１周りに回動する操作部７３（７３Ａ、７３Ｂ）により、スイッチ素子２３、２４を直接オンさせる構成とはなっておらず、操作部７３（７３Ａ、７３Ｂ）の係合部７３３ａによりカム９（９Ａ、９Ｂ）を回動させて、回動させたカム９（９Ａ、９Ｂ）により、スイッチ素子２４、２３をオンさせる構成となっているので、ノブ５の長手方向で操作部６１ａとは反対側（基部６１ｂ側）にノブ５の回動軸Ｘ１を設定しても、スイッチ素子２４、２３のストローク量が不足することがない。
【００５９】
さらに、カム９（９Ａ、９Ｂ）の回動軸Ｘ２の軸方向から見て、スイッチ素子２３とスイッチ素子２４、およびカム９（９Ａ、９Ｂ）の一方側の押圧部９２ｂと他方側の押圧部９２ａが、それぞれ回動軸Ｘ２を挟んで対称に配置されているので、ノブ５を、図５に示す基準位置から引き起こす方向（図中矢印Ａ参照）に操作する場合と、押し込む方向（図中矢印Ｂ参照）に操作する場合の何れにおいても、カム（９Ａ、９Ｂ）の押圧部９２ｂ、９２ａによるスイッチ素子２４、２３の被操作部２４ａ、２３ａの押し込み量（ストローク量）を均一にすることができる。
【００６０】
ノブ５の長手方向における一側には、ノブ５を回動させるときに操作される操作部６１ａが設けられており、ノブ５の回動軸Ｘ１は、ノブ５の長手方向において操作部６１ａとは反対側の基部６１ｂ寄りに設定されている構成とした。
【００６１】
このように構成すると、ノブ５の操作部６１ａから離れた位置（基部６１ｂ側）に操作力が加えられた場合に、ノブ５が回動することを確実に防止できる。
よって、ノブ５が、図５に示す基準位置から引き起こす方向（図中矢印Ａ参照）に操作されると、スイッチ１が接続された外部装置（例えばブレーキ装置）がオンされるように構成した場合に、ノブ５の操作部６１ａとは反対側が誤って押し込まれたときなどに、外部装置が意図せずにオンされることを好適に防止できる。
【００６２】
カム９（９Ａ、９Ｂ）の回動軸Ｘ２は、ノブ５の回動軸Ｘ１に対して平行に設定されていると共に、ノブ５の長手方向で、回動軸Ｘ２から操作部６１ａ側にオフセットした位置に設定されている構成とした。
【００６３】
このように構成すると、ノブ５の長手方向の幅を利用して、ノブ５の極盤２側の下方にカム９（９Ａ、９Ｂ）を設けるスペースを確保することができる。よって、カム９（９Ａ、９Ｂ）を設けるために、スイッチ１がノブ５の長手方向に大型化することを好適に防止できる。
【００６４】
ここで、操作部７３の係合部７３３ａは、ノブ５の回動軸Ｘ１の軸方向から見て、ノブ５の回動軸Ｘ１とカム９（９Ａ、９Ｂ）の回動軸Ｘ２とを結ぶ直線Ｌｍ上で、カム９（９Ａ、９Ｂ）の係合溝９３に係合している構成としたので、スイッチ素子２４をオンさせる場合とスイッチ素子２３をオンさせる場合の何れにおいても、ノブ５の回動軸Ｘ１周りの回動角度θ１と、カム９（９Ａ、９Ｂ）の回動軸Ｘ２周りの回動角度θを、それぞれ確実に同じにできる。
【００６５】
カム９は、スイッチ素子２４をオンさせるカム９Ａと、スイッチ素子２３をオンさせるカム９Ｂとから構成されると共に、カム９Ａとカム９Ｂは、カム９Ａ、９Ｂの共通の回動軸Ｘ２の軸方向に間隔を空けて設けられており、
ノブ５側の操作部７３は、カム９Ａを回動させる操作部７３Ａと、カム９Ｂを回動させる操作部７３Ｂとから構成されると共に、これら操作部７３Ａ、７３Ｂは、ノブ５の回動軸Ｘ１の軸方向に間隔を空けて設けられており、
カム９Ａとカム９Ｂ、および操作部７３Ａと操作部７３Ｂは、ノブ５の幅方向における中心線Ｍを挟んで対称に設けられている構成とした。
【００６６】
このように構成すると、ノブ５の幅方向における中央部に、例えばプリント基板２２に設けられた発光素子からの照射光をノブ５の上壁部６１に導くための空間を確保できる。
さらに、操作部７３（７３Ａ、７３Ｂ）やカム９（９Ａ、９Ｂ）を複数設けることで、ノブ５を操作したときにこれらに作用する操作力を分散させることができるので、スイッチ１の耐久性の向上が見込まれる。
【００６７】
なお、上記した実施の形態では、スイッチ素子２３、２４を別々のカム９Ｂ、９Ａで操作する場合を例示したが、ひとつのカムで、ふたつのスイッチ素子をオンさせる構成としても良い。
かかる場合、カム９が回動軸Ｘ２周りの一方向に回動したときに一方側の押圧部９２ａで一方のスイッチ素子をオンさせ、他方向に回動したときに他方側の押圧部９２ｂで他方のスイッチ素子をオンさせるように、ふたつのスイッチ素子を、回動軸Ｘ２を挟んで対称に配置すれば良い。
【符号の説明】
【００６８】
１      スイッチ
２      極盤
２１    基部
２２    プリント基板
２３    スイッチ素子（第２のスイッチ素子）
２３ａ  被操作部
２４    スイッチ素子（第１のスイッチ素子）
２４ａ  被操作部
２５    コネクタ部
２６    端子
２７    係止爪
２８    係合部
３      カバー
３１    周壁部
３２    係合孔
３３    係合凹部
３４、３５    取付部
３６    規制壁
４      支持部
４１〜４６    壁部
４７、４８    仕切壁
４０１  スプリング収容部
４０２  底壁部
４０３  底壁部
４０３ａ  開口
４０４  軸部
４３１、４４１、４５１、４６１  軸受部
４３２、４４２、４５２、４６２  貫通孔
４３３、４４３、４５３、４６３  スリット
４５４、４６４、４７４、４８４  ガイド片
５      ノブ
６      ヘッド部
６１    上壁部
６１ａ  操作部
６１ｂ  基部
６２    周壁部
６２ａ  係合孔
６２ｂ  軸受孔
７      連結部
７１    基部
７２    側壁部
７２ａ  係合突起
７２ｂ  軸部
７２ｃ  軸部
７２１  レバー部
７３（７３Ａ、７３Ｂ）  操作部（操作子）
７３１  基端部
７３２  半円部
７３３  操作部
７３３ａ  係合部
７４（７４Ａ、７４Ｂ）  支持壁部
７４ｃ  軸部
７４１  基端部
７４２  矩形部
７４２ａ  節度溝
７５    リブ
９（９Ａ、９Ｂ）    カム
９１    連結部
９１ａ  挿入穴
９２    被操作部
９２ａ  押圧部
９２ｂ  押圧部
９３    係合溝
１００、１００’  スイッチ
１０１  ノブ
１０１ａ  操作部
１０１ｂ  基部
１０２  カバー
１０３、１０４  ムービングブロック
１０５、１０６  スイッチ素子
１０７  基板
Ｂ      ボール
Ｓｐ    スプリング
Ｘ      回動軸
Ｘ１    回動軸
Ｘ２    回転軸（第１軸）
Ｘ２    回動軸（第２軸）
【図１】
2014120322.tif 000003
【図２】
2014120322.tif 000004
【図３】
2014120322.tif 000005
【図４】
2014120322.tif 000006
【図５】
2014120322.tif 000007
【図６】
2014120322.tif 000008
【図７】
2014120322.tif 000009
【図８】
2014120322.tif 000010